(57)【要約】      （修正有）【課題】ダイカストマシンのマシンスリーブの取外し及び取付けを簡易な構造で且つ容易に行えるスリーブ交換治具を提供する。【解決手段】スリーブ交換治具１０は、マシンスリーブに挿入されるロッド１１と、ロッド１１の一端部に設けられてマシンスリーブに係止可能な係止部１２と、マシンスリーブの内面に吸着可能にロッド１１に設けられた第１永久磁石１３と、マシンスリーブに当接可能にロッド１１の他端部に設けられた鍔部１４と、プランジャチップの先端面に吸着可能で鍔部１４のロッド１１とは反対側に設けられた第２永久磁石１６とからなり、係止部１２は、その先端面１２ｅがプランジャチップの先端面に当てられるとともに押圧され、鍔部１４は、第２永久磁石１６を介してプランジャチップに引かれる。【選択図】図１
0003201623.tif 000002
【実用新案登録請求の範囲】
【請求項１】
ダイカストマシンの固定型を支持する固定盤にマシンスリーブが着脱可能に設けられ、プランジャチップが移動可能に挿入される前記マシンスリーブを交換するスリーブ交換治具であって、
前記スリーブ交換治具は、前記マシンスリーブの中空部に挿入されるロッドと、前記ロッドの一端部に設けられて前記マシンスリーブに係止可能な係止部と、前記マシンスリーブの中空部の内面に吸着可能に前記ロッドに設けられたロッド側永久磁石と、前記マシンスリーブに当接可能に前記ロッドの他端部に設けられた鍔部と、前記プランジャチップの先端に吸着可能で前記鍔部の前記ロッドとは反対側に設けられた鍔部側永久磁石とからなり、
前記係止部は、その先端が前記プランジャチップに当てられるとともに押圧され、前記鍔部は、前記鍔部側永久磁石を介して前記プランジャチップに引かれることを特徴とするスリーブ交換治具。
【請求項２】
前記係止部は、前記マシンスリーブの湯口に係止されることを特徴とする請求項１に記載のスリーブ交換治具。
【請求項３】
前記ロッド側永久磁石は、前記ロッド及び前記係止部で形成された凹部に設けられていることを特徴とする請求項１又は２に記載のスリーブ交換治具。
【請求項４】
前記鍔部側永久磁石は、前記鍔部に備える突出部に埋め込まれていることを特徴とする請求項１乃至３のいずれか一項に記載のスリーブ交換治具。
【請求項５】
前記ロッド、前記係止部及び前記鍔部は、別体に形成され、それぞれ締結されることを特徴とする請求項１乃至４のいずれか一項に記載のスリーブ交換治具。
【考案の詳細な説明】
【技術分野】
【０００１】
本考案は、ダイカストマシンのスリーブを交換するためのスリーブ交換治具に関する。
【背景技術】
【０００２】
従来、ダイカストマシンは、固定型と可動型とから形成されたキャビティ内に溶湯を加圧充填させるために、固定型を支持する固定盤に設けられたスリーブと、スリーブに挿入されるプランジャチップとを備える。
上記スリーブを交換する装置として、プランジャチップ側に連結部材を設け、連結部材をスリーブ（射出スリーブ）の一端面に当て、プランジャチップが前進する動力を利用して、固定盤からスリーブを取外し、また、ダイカストマシン内に設けられた手動式の押圧機構によりスリーブを押圧して固定盤内に取付けるスリーブ交換装置が知られている（例えば、特許文献１参照）。
【先行技術文献】
【特許文献】
【０００３】
【特許文献１】特開平１１−１５６５１８号公報
【考案の概要】
【考案が解決しようとする課題】
【０００４】
特許文献１のスリーブ交換装置では、スリーブを固定盤に取付ける場合に、押圧機構、突っ張り部材等の大掛かりな構造が必要となり、構造が複雑で且つ部品数が多くなるため、コストの増大を招く。また、固定盤に対するスリーブの取外し及び取付けが異なる手段で行われるため、スリーブの交換作業が煩雑になり、作業時間が長くなる。
本考案の目的は、ダイカストマシンのスリーブ（マシンスリーブ）の取外し及び取付けを簡易な構造で且つ容易に行えるスリーブ交換治具を提供することにある。
【課題を解決するための手段】
【０００５】
上述した課題を解決するため、本考案は、ダイカストマシンの固定型を支持する固定盤にマシンスリーブが着脱可能に設けられ、プランジャチップが移動可能に挿入される前記マシンスリーブを交換するスリーブ交換治具であって、前記スリーブ交換治具は、前記マシンスリーブの中空部に挿入されるロッドと、前記ロッドの一端部に設けられて前記マシンスリーブに係止可能な係止部と、前記マシンスリーブの中空部の内面に吸着可能に前記ロッドに設けられたロッド側永久磁石と、前記マシンスリーブに当接可能に前記ロッドの他端部に設けられた鍔部と、前記プランジャチップの先端に吸着可能で前記鍔部の前記ロッドとは反対側に設けられた鍔部側永久磁石とからなり、前記係止部は、その先端が前記プランジャチップに当てられるとともに押圧され、前記鍔部は、前記鍔部側永久磁石を介して前記プランジャチップに引かれることを特徴とする。
【０００６】
上記構成において、前記係止部は、前記マシンスリーブの湯口に係止されるようにしても良い。
また、上記構成において、前記ロッド側永久磁石は、前記ロッド及び前記係止部で形成された凹部に設けられていても良い。
【０００７】
また、上記構成において、前記鍔部側永久磁石は、前記鍔部に備える突出部に埋め込まれていても良い。
また、上記構成において、前記ロッド、前記係止部及び前記鍔部は、別体に形成され、それぞれ締結されるようにしても良い。
【考案の効果】
【０００８】
本考案では、係止部をマシンスリーブに係止させ、プランジャチップをダイカストマシンの動力によって溶湯の射出方向に前進させる。これにより、プランジャチップが係止部に当たり、マシンスリーブがスリーブ交換治具と一体的に前進して固定盤から押し出される。また、固定盤にマシンスリーブの端部を挿入し、マシンスリーブにプランジャチップを挿入した状態で、鍔部側永久磁石をプランジャチップの先端に吸着させ、プランジャチップをダイカストマシンの動力によって溶湯の射出方向とは反対側へ後退させる。これにより、鍔部がマシンスリーブに当ってマシンスリーブがスリーブ交換治具と一体的に後退し、マシンスリーブが固定盤に挿入される。
【０００９】
このように、スリーブ交換治具によって、ダイカストマシンの動力によるプランジャチップの移動を利用しながらマシンスリーブを容易に交換することができる。スリーブ交換治具は、ロッド、係止部、鍔部及び二種の永久磁石からなる簡単な構造であり、また、スリーブ交換治具でマシンスリーブの取外し及び取付けの両方が行えるため、コストが抑えられ、また、マシンスリーブの交換作業時間を短縮することができる。
【００１０】
また、係止部は、マシンスリーブの湯口に係止されるので、マシンスリーブの湯口を利用して係止部を係止させることができ、係止部を特別な形状にしたり、マシンスリーブに係止部を係止する構造を特別に設けたりしなくて済み、コストを抑えることができる。
また、ロッド側永久磁石は、ロッドに形成された凹部に設けられているので、ロッド側永久磁石を配置するスペースを確保しつつロッド側永久磁石をマシンスリーブの内面に吸着させることができる。また、凹部内にロッド側永久磁石を配置してロッド側永久磁石を保護することができる。
【００１１】
また、鍔部側永久磁石は、鍔部に備える突出部に埋め込まれているので、突出部で鍔部側永久磁石を保護することができる。
また、ロッド、係止部及び鍔部は、別体に形成され、それぞれ締結されるので、ロッド、係止部及び鍔部をそれぞれ形成しやすくすることができる。
【図面の簡単な説明】
【００１２】
【図１】本考案の一実施形態のスリーブ交換治具を示す側面図である。
【図２】ダイカストマシンを示す説明図である。
【図３】金型の入れ替えを示す説明図であり、図３（Ａ）は型開きを示す図、図３（Ｂ）は固定型の取外しを示す図、図３（Ｃ）はマシンスリーブの取外しを示す図である。
【図４】スリーブ交換治具によるマシンスリーブの取外しを示す作用図（前半）であり、図４（Ａ）はスリーブ交換治具の装着を示す作用図、図４（Ｂ）は射出加圧部の作動状態を示す作用図である。
【図５】スリーブ交換治具によるマシンスリーブの取外しを示す作用図（後半）であり、図５（Ａ）は射出加圧部の作動によるマシンスリーブの移動状態を示す作用図、図５（Ｂ）はマシンスリーブが取外された状態を示す作用図である。
【図６】スリーブ交換治具によるマシンスリーブの取付けを示す作用図（前半）であり、図６（Ａ）はプランジャチップへのスリーブ交換治具の装着を示す作用図、図６（Ｂ）は射出加圧部の作動によるマシンスリーブの移動状態を示す作用図である。
【図７】スリーブ交換治具によるマシンスリーブの取付けを示す作用図（後半）であり、図７（Ａ）はマシンスリーブの挿入状態を示す作用図、図７（Ｂ）はマシンスリーブが取付けられた状態を示す作用図である。
【図８】スリーブ交換治具によるマシンスリーブの交換を示すフローチャートであり、図８（Ａ）はマシンスリーブの取外しを示すフローチャート、図８（Ｂ）はマシンスリーブの取付けを示すフローチャートである。
【考案を実施するための形態】
【００１３】
以下、図面を参照して本考案の一実施形態について説明する。
図１は、本考案の一実施形態のスリーブ交換治具１０を示す側面図である。
スリーブ交換治具１０は、図２に示すダイカストマシン２０の金型２１を入れ替える際に、ダイカストマシン２０に設けられたマシンスリーブ３７を交換する治具である。
図１に示すように、スリーブ交換治具１０は、ロッド１１と、ロッド１１の一端部に取付けられた係止部１２と、ロッド１１の係止部１２側に設けられた複数の第１永久磁石１３と、ロッド１１の他端部に設けられた鍔部１４と、鍔部１４に設けられた第２永久磁石１６とから構成される。
【００１４】
ロッド１１は、中実断面の丸棒又は角棒、あるいは、中空の丸棒又は角棒からなり、一端部に外面１１ａより一段低く段部１１ｂが形成されている。なお、ロッド１１の全長をＬ１とする。
係止部１２は、ロッド１１の一端部にボルトで締結され、ロッド１１と共にマシンスリーブ３７（図２参照）内に挿入される部分であり、一端に傾斜面１２ａが形成されている。傾斜面１２ａは、係止部１２をマシンスリーブ３７内に挿入する際に挿入が容易に行えるようにする部分である。なお、符号１２ｅは係止部１２の先端面、Ｌ２は係止部１２の全長、Ｈ１はロッド１１の外面１１ａから係止部１２の上面１２ｂまでの高さである。
ロッド１１の段部１１ｂと係止部１２の背面１２ｃとで凹部１０Ａが形成されている。
このように、凹部１０Ａは、ロッド１１と係止部１２とで形成されるため、ロッド１１の端部に段部１１ｂを形成するだけで済み、凹部１０Ａを容易に形成することができる。
【００１５】
第１永久磁石１３は、凹部１０Ａの底面１１ｃ（即ち、ロッド１１の段部１１ｂの底面）に接着剤で接着又はボルトで締結されている。第１永久磁石１３の上面１３ａから係止部１２の上面１２ｂまでの高さをＨ２とすると、係止部１２における第１永久磁石１３の上面１３ａよりも高い部分（高さＨ２の部分）は、係止本体部１２ｄである。背面１２ｃにおける係止本体部１２ｄの背面である係止面１２ｆが、マシンスリーブ３７（詳しくは、マシンスリーブ３７の湯口３７ｃ（図２参照））に係止可能な部分である。
ロッド１１の外面１１ａから第１永久磁石１３の上面１３ａまでの高さはＨ３（Ｈ３＝Ｈ１−Ｈ２）となる。即ち、第１永久磁石１３の上面１３ａは、ロッド１１の外面１１ａよりも高さＨ３だけ突出している。高さＨ３は、わずかであるが、第１永久磁石１３をマシンスリーブ３７の内面に吸着させつつロッド１１の外面１１ａをマシンスリーブ３７の内面に当てることができ、スリーブ交換治具１０をマシンスリーブ３７内に安定に保持させることができる。
鍔部１４は、ロッド１１の他端部に当たるように配置された円板状の鍔本体部１７と、鍔本体部１７のロッド１１とは反対側の端面１７ａに配置された突出部１８とから構成され、鍔本体部１７及び突出部１８は、これらの鍔本体部１７及び突出部１８を貫通するボルトでロッド１１に共締めされている。
【００１６】
鍔本体部１７は、中央に貫通穴１７ｂが開けられている。突出部１８は、円板状の基部１８ａと、基部１８ａの中央から突出する円柱状の嵌合部１８ｂとから一体に構成される。嵌合部１８ｂは、鍔本体部１７の貫通穴１７ｂに嵌合される。鍔本体部１７と突出部１８とをロッド１１の他端部に共締めするボルトは、突出部１８の基部１８ａ及び嵌合部１８ｂを貫通してロッド１１にねじ結合される。鍔本体部１７の外径をＤ１、突出部１８の外径をＤ２とする。
突出部１８の端面１８ｃには、円形の端部凹部１８ｄが形成され、端部凹部１８ｄに第２永久磁石１６が埋め込まれている。
【００１７】
第２永久磁石１６は、鍔部１４をロッド１１に締結するボルトで突出部１８に固定されている。第２永久磁石１６の端面１６ａは、突出部１８の端面１８ｃと面一に配置されている。このように、第２永久磁石１６の端面１６ａが突出部１８の端面１８ｃよりも外側へ突出していないので、第２永久磁石１６に対して外部から干渉しにくくすることができ、第２永久磁石１６を保護することができる。
上記したように、鍔本体部１７、突出部１８及び第２永久磁石１６をロッド１１に１本のボルトで共締めすることができ、ボルト本数を少なくすることができて、コストを抑えることができる。
【００１８】
図２は、ダイカストマシン２０を示す説明図である。
ダイカストマシン２０は、金型２１と、金型２１を支持する金型支持部２２と、溶湯金属を加圧する射出加圧部２３と、金型２１を構成する可動型２７を移動させる可動型駆動部（不図示）と、金型支持部２２、射出加圧部２３及び可動型駆動部を支持するフレーム２８とを備える。
金型２１は、固定型２４と、固定型２４に対して移動可能に設けられるとともに、固定型２４に合わせられてキャビティ２６を形成する可動型２７とからなる。金型支持部２２は、固定型２４が取付けられた固定盤３１と、可動型２７が取付けられた可動盤３２とからなり、固定盤３１は、フレーム２８に固定され、可動盤３２は、可動型駆動部で駆動される。
【００１９】
固定型２４は、筒状のプランジャスリーブ３５が一体的に埋め込まれ、プランジャスリーブ３５内の中空部３５ａとキャビティ２６とは、固定型２４と可動型２７とで形成されたゲート３６を介して連通している。
固定盤３１は、プランジャスリーブ３５の延長上にスリーブ挿入穴３１ａが開けられ、スリーブ挿入穴３１ａに抜き差し可能にマシンスリーブ３７が挿入されている。マシンスリーブ３７は、プランジャスリーブ３５の延長上に配置され、マシンスリーブ３７の端面がプランジャスリーブ３５の端面に当てられ、マシンスリーブ３７の中空部３７ａがプランジャスリーブ３５の中空部３５ａに連通している。
マシンスリーブ３７は、固定盤３１から突出するスリーブ突出部３７ｂの上部に、溶湯を中空部３７ａに注ぎ入れるための湯口３７ｃが形成されている。
ここで、マシンスリーブ３７の固定型２４側の端面３７ｄから湯口３７ｃの縁までの距離をＬ３、マシンスリーブ３７の長手方向での湯口３７ｃの開口長さをＬ４、中空部３７ａの内径をＤ３とする。また、固定盤３１のスリーブ挿入穴３１ａの内径をＤ４とする。
【００２０】
射出加圧部２３は、フレーム２８に固定された射出シリンダ４１と、射出シリンダ４１に移動可能に設けられたプランジャロッド４２と、プランジャロッド４２の先端部に取付けられたプランジャチップ４３とを備える。
射出シリンダ４１は、内部に移動可能にピストンが挿入され、ピストンは、外部から供給されるガス圧力によって駆動される。プランジャロッド４２は、射出シリンダ４１内のピストンに取付けられ、プランジャチップ４３と共に金型２１に対して溶湯の射出方向へ前進又は溶湯の射出方向とは反対方向へ後退する。
プランジャチップ４３は、マシンスリーブ３７の中空部３７ａ及びプランジャスリーブ３５の中空部３５ａ内を移動可能に挿入されている。射出シリンダ４１の駆動によって、プランジャチップ４３が前進した時には、マシンスリーブ３７の湯口３７ｃから注がれた溶湯を金型２１のゲート３６を介してキャビティ２６内へ射出・充填し、加圧する。そして、射出シリンダ４１の駆動によって、プランジャチップ４３は、次の射出・充填及び加圧に備えて後退する。
可動型駆動部は、可動型２７及び可動盤３２を前進又は後退させて型締め又は型開きを行う部分である。
【００２１】
図１及び図２において、ロッド１１及び係止部１２の長手方向に直角な方向の最大外形寸法は、中空部３７ａの内径Ｄ３よりも小さい。また、鍔本体部１７の外径Ｄ１は、中空部３７ａの内径Ｄ３よりも大きく、更に、固定盤３１のスリーブ挿入穴３１ａよりも大きい。突出部１８の外径Ｄ２は、鍔本体部１７の外径Ｄ１よりも小さく、更に、マシンスリーブ３７の中空部３７ａの内径Ｄ３よりも小さい。また、ロッド１１の全長Ｌ１は、マシンスリーブ３７の距離Ｌ３よりも大きい。
【００２２】
図３は、金型２１の入れ替えを示す説明図である。
図３（Ａ）は型開きを示す図であり、可動型駆動部を作動させて可動型２７及び可動盤３２を矢印で示すように、後退させて型開きを行う。そして、別の可動型を可動盤３２に取付ける。図３（Ｂ）は固定型２４の取外しを示す図であり、矢印で示すように、固定盤３１から固定型２４を取外す。図３（Ｃ）はマシンスリーブ３７の取外しを示す図であり、矢印で示すように、固定盤３１からマシンスリーブ３７を引き抜く。この後、別のマシンスリーブを固定盤３１に挿入し、固定盤３１に別の固定型を取付ける。
図３（Ａ）〜（Ｃ）に示したように、金型２１を入れ替える際、入れ替えられる金型２１のプランジャスリーブ３５と、入れ替え前のマシンスリーブ３７との内径が異なるときには、そのマシンスリーブ３７を、入れ替えられるプランジャスリーブ３５と内径が同一のものに交換する必要がある。
図１に示したスリーブ交換治具１０は、上記したような金型２１の入れ替えをする際にマシンスリーブ３７を容易に着脱するために使用される。
【００２３】
以上に述べたスリーブ交換治具１０によるマシンスリーブ３７の交換要領を次に説明する。
図４は、スリーブ交換治具１０によるマシンスリーブ３７の取外しを示す作用図（前半）である。
図４（Ａ）はスリーブ交換治具１０の装着を示す作用図、図４（Ｂ）は射出加圧部２３の作動状態を示す作用図である。
図４（Ａ）に示すように、作業者が、マシンスリーブ３７の中空部３７ａ内に、固定型２４（図２参照）に臨む端面３７ｄ側からスリーブ交換治具１０を挿入する。そして、作業者が、スリーブ交換治具１０の係止部１２（詳しくは、係止本体部１２ｄの係止面１２ｆ）を湯口３７ｃの縁に掛ける。このとき、係止部１２に隣接する凹部１０Ａに設けられた複数の第１永久磁石１３がマシンスリーブ３７の中空部３７ａの内面３７ｆに吸着する。
【００２４】
また、ロッド１１の外面１１ａは中空部３７ａの内面３７ｆに当っている。この結果、スリーブ交換治具１０は、マシンスリーブ３７の中空部３７ａ内に安定に保持され、落下しないため、湯口３７ｃの縁への係止部１２の係合状態が維持される。
図４（Ｂ）に示すように、射出加圧部２３を作動させ、プランジャロッド４２及びプランジャチップ４３を、矢印で示すように前進させる。この結果、プランジャチップ４３の先端面４３ａが、スリーブ交換治具１０の係止部１２の先端面１２ｅに当たる。
図４（Ａ）に示したように、係止部１２に傾斜面１２ａを設けることで、マシンスリーブ３７の湯口３７ｃの開口長さＬ４（図２参照）が短くても、係止部１２を湯口３７ｃ内に挿入しやすくして湯口３７ｃの縁に掛けることができる。
【００２５】
図５は、スリーブ交換治具１０によるマシンスリーブ３７の取外しを示す作用図（後半）である。
図５（Ａ）は射出加圧部２３の作動によるマシンスリーブ３７の移動状態を示す作用図、図５（Ｂ）はマシンスリーブ３７が取外された状態を示す作用図である。
図５（Ａ）に示すように、プランジャチップ４３は、更に前進し、スリーブ交換治具１０を押し続けるので、矢印で示すように、スリーブ交換治具１０及びマシンスリーブ３７は一体的に前進し、固定盤３１から抜け始める。図５（Ｂ）に示すように、プランジャチップ４３が固定盤３１の外側に突出することで、マシンスリーブ３７がスリーブ交換治具１０と共に固定盤３１から抜ける。これで、マシンスリーブ３７の取外しが完了する。
【００２６】
図６は、スリーブ交換治具１０によるマシンスリーブ３７の取付けを示す作用図（前半）である。
図６（Ａ）はプランジャチップ４３へのスリーブ交換治具１０の装着を示す作用図、図６（Ｂ）は射出加圧部２３の作動によるマシンスリーブ３７の移動状態を示す作用図である。
図６（Ａ）に示すように、作業者が、まず、マシンスリーブ３７の湯口３７ｃに近い端面３７ｅ側の端部を、固定盤３１のスリーブ挿入穴３１ａに挿入する。そして、作業者が、マシンスリーブ３７の端面３７ｄから突出するプランジャチップ４３の先端面４３ａに、スリーブ交換治具１０の第２永久磁石１６を吸着させる。
図６（Ｂ）に示すように、射出加圧部２３を作動させ、矢印で示すように、プランジャロッド４２及びプランジャチップ４３を後退させる。これにより、スリーブ交換治具１０は、プランジャチップ４３と共に移動し、スリーブ交換治具１０の突出部１８がマシンスリーブ３７の中空部３７ａ内に挿入されるとともに、鍔部１４（詳しくは、鍔本体部１７）がマシンスリーブ３７の端面３７ｄに当たる。
【００２７】
図７は、スリーブ交換治具１０によるマシンスリーブ３７の取付けを示す作用図（後半）である。
図７（Ａ）はマシンスリーブ３７の挿入状態を示す作用図、図７（Ｂ）はマシンスリーブ３７が取付けられた状態を示す作用図である。
図７（Ａ）に示すように、プランジャチップ４３及びスリーブ交換治具１０を更に後退させると、スリーブ交換治具１０の鍔部１４がマシンスリーブ３７を押すため、矢印で示すように、プランジャチップ４３、スリーブ交換治具１０及びマシンスリーブ３７が一体的に後退する。
図７（Ｂ）に示すように、マシンスリーブ３７の端面３７ｄが固定盤３１の端面３１ｂに面一になり、鍔部１４の鍔本体部１７が固定盤３１の端面３１ｂに当たると、後退中のプランジャチップ４３が第２永久磁石１６から引き離される。これで、マシンスリーブ３７の取付けが完了する。
【００２８】
従来、マシンスリーブ３７の取外し及び取付けを行う場合は、マシンスリーブ３７を銅ハンマー等で叩いて固定盤３１のスリーブ挿入穴３１ａに対して出し入れしていた。この方法では、摩耗した銅ハンマーの交換によるコストアップ、作業負荷の増大、金型の段取り時間の増大等の課題が発生していた。
これに対して、本実施形態のスリーブ交換治具１０を用いることで、上記課題が解決され、マシンスリーブ３７の交換を、コストを抑えつつ容易に且つ短時間に行うことが可能になった。
【００２９】
図８は、スリーブ交換治具１０によるマシンスリーブ３７の交換を示すフローチャートである。
図８（Ａ）はマシンスリーブ３７の取外しを示すフローチャート、図８（Ｂ）はマシンスリーブ３７の取付けを示すフローチャートである（符号については、図８（Ａ）では図４及び図５参照、図８（Ｂ）では図６及び図７参照）。
図８（Ａ）において、マシンスリーブ３７の中空部３７ａ内にスリーブ交換治具１０を挿入し、係止部１２をマシンスリーブ３７の湯口３７ｃの縁に掛ける。このとき、第１永久磁石１３が中空部３７ａの内面３７ｆに吸着する（ステップＳ１）。
【００３０】
次に、射出シリンダ４１（図２参照）を作動させ、プランジャロッド４２及びプランジャチップ４３を前進させる。これにより、プランジャチップ４３の先端面４３ａを係止部１２の先端面１２ｅに当てる（ステップＳ２）。この結果として、マシンスリーブ３７を、スリーブ交換治具１０と一体的に前進させる（ステップＳ３）。
そして、プランジャチップ４３を固定盤３１の外側に突出させ、固定盤３１からマシンスリーブ３７を抜き出す（ステップＳ４）。
【００３１】
図８（Ｂ）において、マシンスリーブ３７の先端部を固定盤３１のスリーブ挿入穴３１ａに挿入する（ステップＳ１１）。
そして、プランジャチップ４３の先端面４３ａに第２永久磁石１６を吸着させる（ステップＳ１２）。
次に、射出シリンダ４１（図２参照）を作動させ、プランジャロッド４２及びプランジャチップ４３を後退させる。これにより、鍔部１４（詳しくは、鍔本体部１７）をマシンスリーブ３７の端面３７ｄに当てる（ステップＳ１３）。この結果として、マシンスリーブを、プランジャチップ４３及びスリーブ交換治具１０と一体的に後退させる（ステップＳ１４）。
そして、鍔部１４（詳しくは、鍔本体部１７）を固定盤３１の端面３１ｂに当て、プランジャチップ４３を第２永久磁石１６から引き離す（ステップＳ１５）。
【００３２】
以上の図１及び図２に示したように、ダイカストマシン２０の固定型２４を支持する固定盤３１にマシンスリーブ３７が着脱可能に設けられ、プランジャチップ４３が移動可能に挿入されるマシンスリーブ３７を交換するスリーブ交換治具１０であって、スリーブ交換治具１０は、マシンスリーブ３７の中空部３７ａに挿入されるロッド１１と、ロッド１１の一端部に設けられてマシンスリーブ３７に係止可能な係止部１２と、マシンスリーブ３７の中空部３７ａの内面３７ｆに吸着可能にロッド１１に設けられたロッド側永久磁石としての第１永久磁石１３と、マシンスリーブ３７に当接可能にロッド１１の他端部に設けられた鍔部１４と、プランジャチップ４３の先端面４３ａに吸着可能で鍔部１４のロッド１１とは反対側に設けられた鍔部側永久磁石としての第２永久磁石１６とからなり、係止部１２は、その先端面１２ｅがプランジャチップ４３の先端面４３ａに当てられるとともに押圧され、鍔部１４は、第２永久磁石１６を介してプランジャチップ４３に引かれる。
【００３３】
この構成によれば、係止部１２をマシンスリーブ３７に係止させ、プランジャチップ４３をダイカストマシン２０の動力（射出加圧部２３の動力）によって溶湯の射出方向に前進させることで、プランジャチップ４３が係止部１２に当たり、マシンスリーブ３７が、スリーブ交換治具１０と一体的に前進して固定盤３１から押し出される。また、固定盤３１にマシンスリーブ３７の端部を挿入し、マシンスリーブ３７にプランジャチップ４３を挿入した状態で、第２永久磁石１６をプランジャチップ４３の先端に吸着させ、プランジャチップ４３をダイカストマシン２０の動力によって溶湯の射出方向とは反対側へ後退させることで、鍔部１４がマシンスリーブ３７に当ってマシンスリーブ３７がスリーブ交換治具１０と一体的に後退し、マシンスリーブ３７が固定盤３１に挿入される。
【００３４】
このように、スリーブ交換治具１０によって、ダイカストマシン２０で発生する動力によるプランジャチップ４３の前進動作及び後退動作を利用しながら、マシンスリーブ３７を容易に交換することができる。スリーブ交換治具１０は、ロッド１１、係止部１２、鍔部１４及び二種の永久磁石１３，１６からなる簡単な構造であり、また、スリーブ交換治具１０でマシンスリーブ３７の取外し及び取付けの両方が行えるため、コストが抑えられ、また、マシンスリーブ３７の交換作業時間を短縮することができる。
また、スリーブ交換治具１０を、マシンスリーブ３７及びプランジャチップ４３に結合させる構造として、第１永久磁石１３及び第２永久磁石１６を用いることで、結合及び非結合を容易に行うことができ、特別な結合構造を必要とせず、コストを削減することができ、作業時間を短縮することができる。
【００３５】
また、図４（Ａ）に示したように、係止部１２は、マシンスリーブ３７の湯口３７ｃに係止されるので、マシンスリーブ３７の湯口３７ｃを利用して係止部１２を容易に係止させることができ、係止部１２を特別な形状にしたり、マシンスリーブ３７に係止部１２を係止する構造を特別に設けたりしなくて済み、コストを抑えることができる。
また、図１及び図４（Ａ）に示したように、第１永久磁石１３は、ロッド１１及び係止部１２で形成された凹部１０Ａに設けられているので、第１永久磁石１３を配置するスペースを確保しつつ第１永久磁石１３をマシンスリーブ３７の内面３７ｆに吸着させることができる。また、凹部１０Ａ内に第１永久磁石１３を配置して第１永久磁石１３を保護することができる。
【００３６】
また、図１及び図６（Ａ）に示すように、第２永久磁石１６は、鍔部１４に備える突出部１８に埋め込まれているので、突出部１８で第２永久磁石１６を保護することができる。
また、図１に示したように、ロッド１１、係止部１２及び鍔部１４は、別体に形成され、それぞれ締結されるので、ロッド１１、係止部１２及び鍔部１４をそれぞれ形成しやすくすることができる。
【００３７】
上述した実施形態は、あくまでも本考案の一態様を示すものであり、本考案の主旨を逸脱しない範囲で任意に変形及び応用が可能である。
例えば、上記実施形態において、図１に示したように、スリーブ交換治具１０のロッド１１、係止部１２及び鍔部１４を、それぞれ別体に形成したが、これに限らず、これらのロッド１１、係止部１２及び鍔部１４を一体に形成しても良い。
また、スリーブ交換治具１０は、マシンスリーブ３７に限らず、湯口が形成されていない他の円筒状のスリーブの交換に使用しても良い。この場合、係止部１２をスリーブの一端面に掛けることができる。
また、スリーブ交換治具１０の各部（ロッド１１、係止部１２及び鍔部１４）を、金属製に限らず、樹脂製にしても良い。これにより、スリーブ交換治具１０の軽量化を図ることができる。
【符号の説明】
【００３８】
１０  スリーブ交換治具
１０Ａ  凹部
１１  ロッド
１１ａ  外面
１２  係止部
１３  第１永久磁石（ロッド側永久磁石）
１４  鍔部
１６  第２永久磁石（鍔部側永久磁石
１８  突出部
２０  ダイカストマシン
２４  固定型
３１  固定盤
３７  マシンスリーブ
３７ａ  中空部
３７ｆ  内面
４３  プランジャチップ
【図１】
0003201623.tif 000003
【図２】
0003201623.tif 000004
【図３】
0003201623.tif 000005
【図４】
0003201623.tif 000006
【図５】
0003201623.tif 000007
【図６】
0003201623.tif 000008
【図７】
0003201623.tif 000009
【図８】
0003201623.tif 000010